(57)【要約】      （修正有）【課題】カバーガラスに撥油コーティングが施された携帯電話等であっても、剥がれにくい態様で設置することができる盗難防止装置を提供する。【解決手段】商品である携帯電話１００の表面から側面を通り裏面にかけて接着するシート２０と、内側に押し込まれたピンが突出すると警告を発するタグ３０と、そのタグに接続するケーブル４０と、を有し、ピンが携帯電話に接触してタグの内側に押し込まれた状態で、携帯電話の表面側でタグがシートの上面に接着してあり、ケーブルは携帯電話に沿って裏面側に導かれ、シートによって携帯電話の裏面で固定されている。【選択図】図１
0003184732.tif 000002
【実用新案登録請求の範囲】
【請求項１】
商品の表面から側面を通り裏面にかけて接着するシートと、
内側に押し込まれたピンが突出すると警告を発するタグと、
前記タグに接続するケーブルと、を有し、
前記ピンが商品に接触して前記タグの内側に押し込まれた状態で、前記商品の表面側で前記タグが前記シートの上面に接着してあり、前記ケーブルは商品に沿って裏面側に導かれ、前記シートによって商品の裏面で固定されていることを特徴とする盗難防止装置。
【請求項２】
前記シートに孔が開いてあり、前記ピンが前記孔を通って商品に接触していることを特徴とする請求項１に記載の盗難防止装置。
【請求項３】
前記シートが、電池カバー又はＳＩＭカード挿し込み部に接着していることを特徴とする請求項１又は２に記載の盗難防止装置。
【請求項４】
前記シートによって前記タグと前記商品との接着面積が大きくなることを特徴とする請求項１から３のいずれかに記載の盗難防止装置。
【考案の詳細な説明】
【技術分野】
【０００１】
本考案は、カバーガラスに撥油コーティングが施されている携帯電話等に用いられる盗難防止装置に関する。
【背景技術】
【０００２】
家電量販店等では、商品や商品の見本などを展示し、購入者はその商品等を手に取ってデザインや操作性などを確認し、購入するかどうかを決定するという販売形態が多い。そして、このように展示している商品等は盗難されやすいので、盗難防止装置を取り付けて対策されていることが多い（例えば、特許文献１，２）。
【０００３】
なお、近年の盗難傾向として、携帯電話等の本体ではなく、それに用いられている電池パックやＳＩＭカードのみが盗難されるという事態も多くなっている。
【０００４】
一般的な盗難防止装置は、商品に盗難防止用のタグを直接貼付するタイプであり、図４は、タグの斜視図である。このようなタグ３０は、ピン３１を商品等に押し当てて、タグ内にピン３１を押し込んだ状態でタグ３０と商品とを両面テープ５０で接着して使用し、タグ３０を商品から取り外すとピン３１が突出し、警告音を発するという構成になっている。
【０００５】
タッチパネルを搭載することが主流となった携帯電話（スマートフォン）やタブレット端末、デジタルカメラ等では、カバーガラスに指紋等の油脂が付着しやすいため、近年はフッ素コート剤による撥油コーティングが施されているものが多い。そして、このようなカバーガラスに従来の盗難防止用のタグ３０を直接取り付けた場合、タグ３０に貼られている両面テープ５０と貼付ける商品との接着面積が小さく、かつ撥油コーティングにより接着力が弱くなるため、タグ３０の裏面に貼付した両面テープ５０だけでは剥がれやすく、不必要な場面で盗難防止装置が作動してしまうという事態が頻繁に起こることになる。また、タグ３０には電源に繋がるケーブル４０が接続しているため、ケーブル４０が衣服等に引っ掛かってカバーガラスの法線方向に引っ張られると、簡単にタグ３０が外れることになる。
【先行技術文献】
【特許文献】
【０００６】
【特許文献１】特開２０００−３０１５６号公報
【特許文献２】特開平１０−２２２７７２号公報
【考案の概要】
【考案が解決しようとする課題】
【０００７】
これらの実情に鑑み、本考案は、カバーガラスに撥油コーティングが施された携帯電話等であっても、盗難防止装置を剥がれにくい態様で設置することができ、かつ、電池パックやＳＩＭカードの盗難防止も兼ねることができる盗難防止装置を提供することを目的とする。
【課題を解決するための手段】
【０００８】
上記の目的を達成するために、本考案に係る盗難防止装置は、商品の表面から側面を通り裏面にかけて接着するシートと、内側に押し込まれたピンが突出すると警告を発するタグと、そのタグに接続するケーブルと、を有し、前記ピンが商品に接触して前記タグの内側に押し込まれた状態で、商品の表面側で前記タグが前記シートの上面に接着してあり、前記ケーブルは商品に沿って裏面側に導かれ、前記シートによって商品の裏面で固定されているものである。
【０００９】
さらに、シートに孔が開いてあり、前記ピンがその孔を通って商品に接触していることにしてもよく、タグの形状によっては、前期ピンを孔に通さず直接商品に接触させてもよい。また、前記シートが、電池カバー又はＳＩＭカード挿し込み部に接着していることにしてもよい。
【考案の効果】
【００１０】
本考案によれば、シートによってカバーガラスとの接着面積を大きくすることができ、また、ケーブルはカバーガラスの法線方向に引っ張り難い態様で固定されているため、不必要に盗難防止装置が作動するのを防ぐことができるという効果を奏する。
【００１１】
さらに、前記シートは表面のカバーガラスから裏面にかけて接着するので、裏面が電池カバーになっている機種では、電池カバーにシートを接着することで電池パックやＳＩＭカードの盗難防止にもなるし、側面にＳＩＭカード等の挿し込み部がある機種では、挿し込み部の上を通るように接着すれば、ＳＩＭカード等の盗難防止にもなる。
【図面の簡単な説明】
【００１２】
【図１】携帯電話に盗難防止装置を取り付けた図であり、（ａ）は正面図、（ｂ）は左側面図、（ｃ）は背面図である。
【図２】（ａ）はシートの平面図であり、（ｂ）はシートの側面図である。
【図３】タグの取付方法を説明する断面図であり、（ａ）は設置前、（ｂ）は設置後である。
【図４】タグの斜視図である。
【考案を実施するための形態】
【００１３】
以下、本考案の実施の形態を添付図面を参照して説明する。なお、ここでは、盗難防止装置を取り付ける商品として携帯電話の例を示すが、当然、タブレット端末やデジタルカメラであっても、同様の盗難防止装置を取り付けることが可能である。
【００１４】
図１は、携帯電話に盗難防止装置を取り付けた図であり、（ａ）は正面図、（ｂ）は左側面図、（ｃ）は背面図である。本考案の盗難防止装置１０は、シート２０と、電源等に繋がるケーブル４０を備えるタグ３０とからなる。
【００１５】
シート２０は商品である携帯電話１００の表面から側面を通り裏面にかけて貼付され、タグ３０はシート２０の上に貼付される。そして、タグ３０に接続しているケーブル４０は、携帯電話１００に沿って表面側から裏面側に導かれ、裏面でシート２０によって携帯電話１００に固定されるという構成である。
【００１６】
なお、ケーブル４０の先端は展示台等に固定されるが、電源等を搭載したもう一つのタグ３２を設ける場合もある。このもう一つのタグ３２は、携帯電話１００の裏面に撥油コーティングが施されていない場合には携帯電話１００の裏面に貼付することもあるし、図１（ｃ）のように直接展示台等に貼付することもある。
【００１７】
次に、シート２０の構造を説明する。図２は、（ａ）はシートの平面図であり、（ｂ）はシートの側面図である。シート２０は、タッチパネルの操作に影響を与えないもので、外形は略長方形（帯状）である。
【００１８】
シート２０は透明なＰＥＴフィルム２０ａに両面テープ２０ｂの片面を貼り合わせたものである。なお、両面テープは、基材の両面にアクリル系粘着剤が施されたものである。そして、シート２０を携帯電話に貼付するときは、両面テープ２０ｂのもう一方の面に付いている剥離紙２０ｃを剥がして貼付することになる。なお、剥離紙２０ｃは、シート長辺の中心位置あたりで２つに分割しておくとよい。それは、最初にカバーガラス側の剥離紙２０ｃ１部分を剥がして表面に接着し、その後、タグ３０をシート２０の上に接着してケーブル４０を裏面側に回した後、裏面側の剥離紙２０ｃ２側を剥がして、ケーブル４０ごと携帯電話１００の裏面に貼付するという手順で取り付ければ、盗難防止装置１０の設置作業をスムーズに行えるからである。
【００１９】
タグ３０は、ピン３１が携帯電話１００に直接当たって押し込まれた状態で、シート２０の上面に両面テープを使って貼付される。図３は、図２のシートを使ったタグの取付方法を説明する断面図であり、（ａ）は取付前、（ｂ）は取付後である。まず、携帯電話１００にシート２０を貼付し、タグ３０の裏面に設けられている両面テープの剥離紙を剥がし、（ａ）に示すようにタグ３０のピン３１をシート２０の孔２１を通して携帯電話１００に当接させる。そうして、（ｂ）に示すようにタグ３０を上側より押すことによりピン３１がタグ３０に押し込まれ、タグ３０の裏面に設けられている両面テープ５０でシート２０とタグ３０を接着する。
【００２０】
ここで、図２に示したシート２０では、シート長辺の端部から約１／４の位置に孔２１が開けられているが、孔２１の位置や形状は特に限定するものではなく、ピン３１が直接携帯電話１００に接触できる構成であればよい。つまり、例えばピン３１がタグ３０の端部に設けられていれば、孔２１が不要な場合もあり得る。
【００２１】
なお、もしシート２０の上面にピン３１を押しつけてタグ３０を設置したとすると、シート２０と携帯電話１００との間の接着面で剥がされたときに、ピン３１は突出せず、盗難防止装置１０が作動しないということが起こり得る。しかし、ピン３１を直接携帯電話１００に押しつけてタグ３０を設置していれば、シート２０と携帯電話１００との間の接着面で剥がれたとき、あるいは、タグ３０とシート２０との間の接着面で剥がれたとき、のいずれの場合にもピン３１が突出し、盗難防止装置１０が作動する。したがって、ピン３１は直接携帯電話１００に接触することとしている。
【００２２】
以上のような構成にすることで、タグ３０を直接カバーガラス１０１に貼付するよりもシート２０の方が接着面積が大きいので、表面張力や粘着力が大きくなり、たとえカバーガラス１０１にフッ素コート剤による撥油コーティングが施されているとしても、小さな力で剥がれるのを防止することができる。また、ケーブル４０は携帯電話１００に沿わして裏面に固定されるので、ケーブル４０をカバーガラス１０１の法線方向に引っ張ることが難しくなり、衣服等が引っ掛かるという懸念も解消される。
【００２３】
さらに、携帯電話１００の裏面の一部又は全部が電池カバー１０２になっている機種の場合には、電池カバー１０２にシート２０を接着させることで、電池カバー１０２の内側に取り付けられた電池パックやＳＩＭカードの盗難防止にもなる。特に本考案では、ケーブル４０は、シート２０によって電池カバー１０２に固定されることになるので、電池カバー１０２を開けるためには、ケーブル４０を電池カバー１０２から外すか、もしくは電池カバー１０２と一緒に引っ張ったりすることになる。そうすると、ケーブル４０がタグ３０を引っ張ることになるので、タグ３０が剥がれやすくなり、つまりは盗難防止装置１０が作動しやすくなる。なお、電池カバー１０２が、一辺を支点として開くような構造の場合は、開く側をシート２０で接着すれば、より効果的である。
【００２４】
また、携帯電話１００の側面にＳＩＭカード等の挿し込み部がある機種の場合には、挿し込み部の上をシート２０が通過するように接着させることで、ＳＩＭカード等の盗難防止としての効果を奏する。
【００２５】
以上をまとめると、カバーガラスに撥油コーティングが施されている携帯電話等に対しては、所定のシートを使用すれば、タグの接着を強固にし、かつケーブルをカバーガラスの法線方向に引っ張り難い態様で固定することができるので、盗難防止装置の不必要な作動を防止することができ、さらに電池パック等の盗難防止にも役立つという、多様な効果を奏することができる。
【符号の説明】
【００２６】
１０ 盗難防止装置
２０ シート
２０ａ フィルム
２０ｂ 両面テープ
２０ｃ，２０ｃ１，２０ｃ２ 剥離紙
２１ 孔
３０ タグ
３１ ピン
４０ ケーブル
５０ 両面テープ
１００ 商品（携帯電話）
１０１ カバーガラス
１０２ 電池カバー
【図１】
0003184732.tif 000003
【図２】
0003184732.tif 000004
【図３】
0003184732.tif 000005
【図４】
0003184732.tif 000006